(57)【要約】【課題】台紙に対する電子部品の固定や自動挿入機等による電子部品の実装が容易に可能であり、しかも実装段階における廃棄部分、焼却部分が少ないラジアルテーピング製品を提供すること。【解決手段】複数個の電子部品をテープ状の台紙に粘着テープで固定してなるラジアルテーピング製品において、台紙の電子部品搭載面に、電子部品の外部接続端子の先端部を収容するのに十分な形状及びサイズを有する細溝が形成されており、かつこの細溝に外部接続端子の先端部が収容され、粘着テープで固定されているように構成する。【選択図】　　　図２
0003100139.tif 000002
【実用新案登録請求の範囲】
【請求項１】
複数個の電子部品をテープ状の台紙上に所定の間隔をあけて搭載し、粘着テープで固定してなるラジアルテーピング製品において、
前記台紙の電子部品搭載面に、前記電子部品の外部接続端子の先端部を収容するのに十分な形状及びサイズを有する細溝が形成されており、かつ該細溝と前記粘着テープで前記外部接続端子の先端部が固定されていることを特徴とするラジアルテーピング製品。
【請求項２】
前記外部接続端子が、陽極端子及び陰極端子の組み合わせからなることを特徴とする請求項１に記載のラジアルテーピング製品。
【請求項３】
前記外部接続端子が、丸棒状のリード線であることを特徴とする請求項１又は２に記載のラジアルテーピング製品。
【請求項４】
前記リード線が、鉄、銅又はその合金を母材として有していることを特徴とする請求項１〜３のいずれか１項に記載の電子部品。
【請求項５】
前記リード線の直径が、０．２〜１．５ｍｍの範囲であることを特徴とする請求項３又は４に記載の電子部品。
【請求項６】
前記細溝が、前記台紙の外縁端部から内側に向かって所定の長さで形成されていることを特徴とする請求項１〜５のいずれか１項に記載のラジアルテーピング製品。
【請求項７】
前記細溝が、前記台紙にエンボス加工によって形成された凹部であることを特徴とする請求項１〜６のいずれか１項に記載のラジアルテーピング製品。
【請求項８】
前記細溝が、前記台紙にコルゲート加工によって形成された凹部であることを特徴とする請求項１〜６のいずれか１項に記載のラジアルテーピング製品。
【請求項９】
前記細溝が、前記台紙に細溝状切れ込み付きシートを積層することによって形成された凹部であることを特徴とする請求項１〜６のいずれか１項に記載のラジアルテーピング製品。
【請求項１０】
前記細溝が、前記台紙の製造過程で付与された凹部であることを特徴とする請求項１〜６のいずれか１項に記載のラジアルテーピング製品。
【請求項１１】
前記細溝が、ほぼ半円形の断面を有している凹部であることを特徴とする請求項１〜１０のいずれか１項に記載のラジアルテーピング製品。
【請求項１２】
前記台紙が、厚紙もしくは紙の積層体からなることを特徴とする請求項１〜１１のいずれか１項に記載のラジアルテーピング製品。
【請求項１３】
前記台紙が、プラスチック材料からなることを特徴とする請求項１〜１１のいずれか１項に記載のラジアルテーピング製品。
【請求項１４】
前記電子部品がコンデンサであることを特徴とする請求項１〜１３のいずれか１項に記載のラジアルテーピング製品。
【請求項１５】
前記コンデンサがアルミニウム電解コンデンサであることを特徴とする請求項１４に記載のラジアルテーピング製品。
【請求項１６】
前記アルミニウム電解コンデンサが、対向して配置された陽極箔及び陰極箔と、それらの中間に介在せしめられた隔離紙とから形成されたコンデンサ素子と、電解液とを含んでなるアルミニウム電解コンデンサであることを特徴とする請求項１５に記載のラジアルテーピング製品。
【請求項１７】
前記電解液が、２０〜８０重量％の有機溶媒と８０〜２０重量％の水とからなる溶媒と、カルボン酸又はその塩及び無機酸又はその塩からなる群から選択される少なくとも１種の電解質とを含むことを特徴とする請求項１６に記載のラジアルテーピング製品。
【請求項１８】
前記電子部品が水晶振動子であることを特徴とする請求項１〜１３のいずれか１項に記載のラジアルテーピング製品。
【請求項１９】
前記電子部品が自動挿入機で回路基板等に実装されることを特徴とする請求項１〜１８のいずれか１項に記載のラジアルテーピング製品。
【請求項２０】
前記電子部品が、前記外部接続端子を含めて前記台紙から引き抜いて、回路基板等に実装されることを特徴とする請求項１〜１９のいずれか１項に記載のラジアルテーピング製品。
【請求項２１】
前記電子部品が、前記外部接続端子の不要部分を含めて前記台紙から分離して、回路基板等に実装されることを特徴とする請求項１〜１９のいずれか１項に記載のラジアルテーピング製品。
【請求項２２】
前記電子部品と、前記外部接続端子の不要部分を含めた前記台紙とが、前記外部接続端子の予め定められた位置において切断によって分離されることを特徴とする請求項２１に記載のラジアルテーピング製品。
【請求項２３】
ロール状に巻き取った形態を有していることを特徴とする請求項１〜２２のいずれか１項に記載のラジアルテーピング製品。
【請求項２４】
つづら折りの形態を有していることを特徴とする請求項１〜２２のいずれか１項に記載のラジアルテーピング製品。
【考案の詳細な説明】
【０００１】
【考案の属する技術分野】
本考案は、ラジアルテーピング製品に関し、さらに詳しく述べると、複数個の電子部品をテープ状の台紙に搭載し、さらに粘着テープで固定したラジアルテーピング製品に関する。
【０００２】
【従来の技術】
パーソナルコンピュータ、携帯電話等を含めた各種の電子機器において、高性能化、高機能化等の要求を満足させるために、様々なタイプの電子部品が用いられている。また、典型的な電子部品の１つとして、例えば、外部接続端子としてリード線を備えた電子デバイス、例えば電解コンデンサ、水晶振動子などを挙げることができる。
【０００３】
ところで、このような電子部品を搭載して電子機器を製造する場合に、作業の効率化や電子部品の輸送及び保存スペース等の改良のためにラジアルテーピングなる技術が用いられている。「ラジアルテーピング」とは、一般的に、テープ状の台紙を用意した後、その台紙の片面に複数個の電子部品を所定の間隔をあけて搭載し、さらにそれぞれの電子部品の外部接続端子（通常は、リード線）を粘着テープで固定することからなっている。このようにして得られるラジアルテーピング製品は、テープ状の台紙の上に多数の電子部品が搭載された構成を有するので、コンパクトであり、輸送や保管に好都合であるばかりでなく、電子機器の回路基板等に自動挿入機で実装するのに非常に便利である。
【０００４】
図１は、従来の電気二重層コンデンサのラジアルテーピング製品を示した模式図である（特許文献１）。ラジアルテーピング製品１００は、図１（Ａ）に示すように、テープ状の台紙１０５と、その長手方向に所定の間隔をおいて配置された電気二重層コンデンサ１０１とからなる。それぞれのコンデンサ１０１は、陽極端子（リード線）１０２及び陰極端子（リード線）１０３を有しており、これらのリード線の先端部が粘着テープ１１１によって台紙１０５に固着されている。台紙１０５に対するリード線１０３の固着状態は、図１（Ａ）の線分Ｂ−Ｂにそった断面図である図１（Ｂ）から容易に理解することができるであろう。また、台紙１０６には、ラジアルテーピング製品１００を自動挿入機（図示せず）に連続的に案内するため、送り穴１０６が形成されている。
【０００５】
【特許文献１】
実開平５−１２１２７０号公報（段落０００３、図３）
【０００６】
【考案が解決しようとする課題】
本考案者は、上記したような従来のラジアルテーピング製品には構成上の無駄があり、不経済であること、また、取り扱い性も悪いということを発見した。例えば、台紙上に貼付したリード線等の外部接続端子は、最終的には廃棄もしくは焼却されるものであるにもかかわらず、ラジアルテーピング製品のかなりの量を占めており、無駄のない使用、環境保全を考慮した使用が望ましい。また、それぞれの電子部品を台紙上に固着する場合、電子部品の位置合わせや仮固定などを行わなければならず、作業が煩雑であり、作業時間の延長も避けられない。
【０００７】
本考案の目的は、したがって、台紙に対する電子部品の固定や自動挿入機による電子部品の実装が容易に可能であり、しかも実装段階における廃棄部分、焼却部分が少ないラジアルテーピング製品を提供することにある。
【０００８】
また、本考案の目的は、電解コンデンサや水晶振動子などの電子部品の搭載に有用なラジアルテーピング製品を提供することにある。
【０００９】
本考案の上記した目的やその他の目的は、以下の詳細な説明から容易に理解することができるであろう。
【００１０】
【課題を解決するための手段】
上記した目的は、本考案によれば、複数個の電子部品をテープ状の台紙上に所定の間隔をあけて搭載し、粘着テープで固定してなるラジアルテーピング製品において、
前記台紙の電子部品搭載面に、前記電子部品の外部接続端子の先端部を収容するのに十分な形状及びサイズを有する細溝が形成されており、かつ該細溝と前記粘着テープで前記外部接続端子の先端部が固定されていることを特徴とするラジアルテーピング製品によって達成することができる。
【００１１】
【考案の実施の形態】
本考案は、上記したように、複数個の電子部品をテープ状の台紙に搭載し、固定したラジアルテーピング製品にある。このようなラジアルテーピング製品は、基本的には、ＪＩＳ（日本工業規格）Ｃ０８０５に規定される基準「電子部品のテーピング」に準拠して構成することができる。また、本考案のラジアルテーピング製品に搭載し、固定される電子部品は、電子機器などで使用する各種の電子部品を包含し、本考案の実施に有用な電子部品の好適な例は、以下に列挙するものに限定されるわけではないけれども、例えば電解コンデンサなどのコンデンサ、水晶振動子、トランジスタ、サイリスタ、抵抗、ダイオード、コネクタなどである。さらに、これらの電子部品は、通常、機能素子及びそれを収納したケーシングを含む部品本体と、該部品本体から取り出された少なくとも１本の外部接続端子とを含んで構成される。ここで使用される機能素子は、電子部品の構成に応じて任意に変更可能であり、例えば電子部品が電解コンデンサである場合、コンデンサ素子を意味する。適当な機能素子としては、以下に列挙するものに限定されるものではないけれども、コンデンサ素子の他、水晶片、半導体、抵抗、整流素子などを包含する。
【００１２】
本考案によるラジアルテーピング製品は、テープ状の台紙を有するとともに、その電子部品搭載面に、電子部品の外部接続端子の先端部を収容するのに十分な形状及びサイズを有する細溝が形成されており、かつ該細溝と前記粘着テープで外部接続端子の先端部が固定されていることを特徴とする。ここで、外部接続端子は、好ましくは線状あるいはワイヤ状の部材、さらに好ましくは細板状あるいは丸棒状のリード線である。なお、本考案による電解コンデンサ搭載ラジアルテーピング製品を以下で説明する場合には、特に丸棒状のリード線を外部接続端子として参照して本考案を説明することにする。
【００１３】
本考案の実施において、リード線や、その他の外部接続端子は、いかなる断面形態を有していてもよい。例えば、一般的には円形あるいは矩形断面をもった外部接続端子を使用することができるけれども、本考案の実施においては、丸棒状の、すなわち、円形断面をもった外部接続端子の使用が最も好適である。
【００１４】
リード線や、その他の外部接続端子の数は限定されるものではなく、電子部品の構成に応じて任意の数の外部接続端子を電子部品に取り付けることができる。例えば、電解コンデンサの場合、外部接続端子として使用されるリード線の数は、通常、２本であり、陽極端子と陰極端子の組み合わせからなる。また、トランジスタの場合、その外部接続端子の数は、通常、３本である。さらに、サイリスタの場合、その外部接続端子の数は、通常、２〜４本である。これらの外部接続端子の長さは、電子部品の構成や使途などに応じて、同じであっても、異なっていてもよい。
【００１５】
リード線や、その他の外部接続端子は、いろいろな材料から形成することができるけれども、好ましくは導電性の金属材料からなる。外部接続端子の構成に好適な金属材料は、以下に列挙するものに限定されるわけではないけれども、鉄、銅などを包含する。これらの金属材料は、単体で使用してもよく、さもなければ合金の形で使用してもよい。例えば、リード線は、鉄、銅又はその合金を母材として有することができる。
【００１６】
また、リード線や、その他の外部接続端子は、電子部品の構成や使途などに応じていろいろなサイズで使用することができる。外部接続端子、典型的にはリード線の直径は、一般的に、約０．２〜１．５ｍｍの範囲であり、好ましくは、約０．３〜１．０ｍｍの範囲である。
【００１７】
本考案のラジアルテーピング製品では、上記のような電子部品の外部接続端子をテープ状の台紙に搭載する。ここで使用する台紙は、ラジアルテーピング製品に一般的に使用されているいろいろな台紙を包含する。適当な台紙は、以下に列挙するものに限定されるわけではないけれども、厚紙、例えばクラフトパルプ紙、紙の積層体などの紙製品、プラスチックテープ、例えばポリエステルテープ、ポリプロピレンテープ、ポリ塩化ビニルテープなどのプラスチック製品である。いずれの台紙も、常用のテープ成形技術を使用して製造することができる。
【００１８】
台紙の長さ及び幅は、ラジアルテーピング製品の仕様や使途において広い範囲で変更することができる。一般的に述べて、台紙の幅は、通常、約１６〜２０ｍｍの範囲である。
【００１９】
また、本考案のラジアルテーピング製品では、台紙上に搭載した電子部品の外部接続端子の少なくとも先端の部分を粘着テープで固定する。ここで使用する粘着テープは、特に限定されるものではなく、ラジアルテーピング製品に一般的に使用されているいろいろな粘着テープを包含する。一例として、クレープ紙などの紙の基材にアクリル系の粘着剤を塗布した常用の感熱粘着テープを挙げることができる。もちろん、所望とする粘着力などに応じて、その他のいろいろな工業用粘着テープも使用することができる。粘着テープは、台紙上になるべく狭い幅で貼付するのが取り扱い性、コストの面で好適であり、その幅は、一般に台紙の幅の３分の２以下であることが好ましく、さらに好ましくは、台紙の幅の３分の１〜２分の１の範囲である。換言すると、粘着テープの幅は、通常、約４〜１０ｍｍの範囲である。
【００２０】
台紙上に搭載される電子部品の数は、特に限定されるものではなく、目的とするラジアルテーピング製品の仕様に応じて任意に変更することができる。同様に、ラジアルテーピング製品に搭載される電子部品の間隔も、特に限定されるものではなく、目的とするラジアルテーピング製品の仕様に応じて任意に変更することができる。すなわち、本考案のラジアルテーピング製品では、ラジアルテーピング製品毎に好適な部品間隔を予め設定することができる。電子部品間の間隔は、通常、約１０〜４０ｍｍの範囲である。
【００２１】
本考案によるラジアルテーピング製品は、上記したテープ状の台紙において、電子部品の外部接続端子の先端部を少なくとも収容するのに十分な形状及びサイズを有する細溝が電子部品搭載面に予め形成されていることを特徴とする。
【００２２】
細溝の形状及びサイズは、外部接続端子の仕様などに応じて任意に変更することができる。例えば、外部接続端子が丸棒状のリード線である場合、半円形の断面をもった細溝を有利に使用することができ、また、細板状のリード線である場合、矩形の断面をもった細溝を有利に使用することができる。これらの細溝のサイズは、外部接続端子の仕様に準じて決定することができる。
【００２３】
また、細溝は、台紙の外縁端部から台紙の内側（中央部）に向かって所定の長さで形成される。例えば、電子部品をラジアルテーピング製品の片側のみに搭載する場合、台紙の１つの外縁端部おいて細溝を形成することができる。一方、電子部品をラジアルテーピング製品の両側に向き合う形で搭載する場合、台紙の両方の外縁端部おいて細溝を形成することができる。ここで、細溝の長さは、電子部品の外部接続端子の仕様に応じて、同じ長さであってもよく、さもなければ、一方が長く他方が短いように、異なる長さであってもよい。
【００２４】
細溝は、台紙の所定の位置に任意の技法で形成することができる。例えば、１つの好ましい態様において、エンボス加工によって形成された凹部の形で細溝を形成することができる。また、コルゲート加工によって形成された凹部の形で細溝を形成することもできる。さらに、台紙に細溝状切れ込み付きシートを積層することによって形成された凹部の形で細溝を形成することもできる。別の面から、台紙の製造過程で付与された凹部の形で細溝を形成することもできる。
【００２５】
本考案によるラジアルテーピング製品は、電子機器等の製造分野において有利に使用することができる。ラジアルテーピング製品は、好ましくは、自動挿入機と組み合わせて使用することができ、したがって、電子部品を自動挿入機で回路基板等に連続的に実装することができる。また、このような連続実装を可能とするため、本考案のラジアルテーピング製品には、複数個の送り穴が予め定められたピッチで台紙を貫通して形成されていることが好ましい。送り穴のサイズ及びピッチ（隣接する送り穴の中心間距離）は、使用する自動挿入機などの仕様に応じて変更できるけれども、通常、約３．０〜５．０ｍｍの直径及び約１０〜２０ｍｍのピッチである。
【００２６】
このようなラジアルテーピング製品において、使用形態も任意に変更することができる。例えば、電子部品を、その外部接続端子を含めて台紙から引き抜いて、回路基板等に実装する形態を採用してもよい。また、電子部品を、外部接続端子の不要部分を含めて台紙から分離して、回路基板等に実装する形態を採用してもよい。また、このような形態の場合には、電子部品と、外部接続端子の不要部分を含めた台紙とが、外部接続端子の予め定められた位置において切断によって分離されるような手法を採用することが好ましい。
【００２７】
さらにまた、ラジアルテーピング製品自体も、ユーザー側のニーズに応じていろいろな形態を採用することができる。例えば、ラジアルテーピング製品をロール状に巻き取った形態を有利に採用することができる。通常、巻取り用のリールを併用することができる。また、ラジアルテーピング製品をつづら折りの形態に折り曲げた形態も有利に採用することができる。このような形態のラジアルテーピング製品は、通常、包装箱などに収納して保管したり、輸送したりする。
【００２８】
本考案で用いられる電子部品は、上記したように各種のリード線付き電子部品を包含するというものの、好ましくは、リード線付きの電解コンデンサ、さらに好ましくは、対向して配置された陽極箔及び陰極箔と、それらの中間に介在せしめられた隔離紙とから形成されたコンデンサ素子と、電解液とを含んでなるアルミニウム電解コンデンサである。
【００２９】
アルミニウム電解コンデンサは、従来一般的に使用されているものを包含するが、好ましくは、電解液が、２０〜８０重量％の有機溶媒と８０〜２０重量％の水とからなる溶媒と、カルボン酸又はその塩及び無機酸又はその塩からなる群から選択される少なくとも１種の電解質とを含むことを特徴とする、出願人らによってすでに特許出願されているアルミニウム電解コンデンサである。かかるアルミニウム電解コンデンサについての詳細は、特開２０００−１７３８７２号公報などの詳細な記載を参照されたい。
【００３０】
アルミニウム電解コンデンサ以外に有用なリード線付きの電子部品としては、例えば、水晶振動子、トランジスタ、サイリスタ、抵抗、ダイオード、コネクタ、フィルムコンデンサ、タンタルコンデンサ、セラミックコンデンサなどを挙げることができる。
【００３１】
【実施例】
引き続いて、本考案の実施例を添付の図面を参照して説明する。なお、本考案は、これらの実施例によって限定されるものでないことは言うまでもない。
【００３２】
図２は、本考案によるラジアルテーピング製品の好ましい１形態を模式的に示した側面図であり、また、図３は、図２のラジアルテーピング製品の線分ＩＩＩ−ＩＩＩにそった断面図である。
【００３３】
本考案のラジアルテーピング製品１０は、ユーザー向けに多数のアルミニウム電解コンデンサ（電子部品、図９を参照して以下に説明する）１を一括して提供するためにテープ状の台紙１１に固定したものである。図では説明の便宜上から１個のアルミニウム電解コンデンサ１のみが示されているけれども、実際には、必要数のコンデンサ１がほぼ等間隔で固定されている。それぞれのコンデンサ１は、図示のように、長さを異にする２本の外部接続端子（リード線）、すなわち、陽極端子２及び陰極端子３の先端部を台紙１１上に載置し、さらに粘着テープ１２で固定している。テープ状の台紙１１は、ラジアルテーピング製品１０を自動挿入機に案内してリード線の末端処理、引き抜き等の加工を行うため、送り穴１３を備えている。送り穴１３は、自動挿入機の仕様にあわせてほぼ等間隔で開けられている。
【００３４】
ラジアルテーピング製品１０の台紙１１は、図４に示すように、それぞれ陽極端子２及び陰極端子３の先端部の長さ及び形状に対応するとともに長さを異にする２本の細溝１５及び１６を有している。それぞれの細溝の断面形状は、ほぼ半円形である。したがって、陽極端子２及び陰極端子３の先端部をテープ状の台紙１１上に搭載し、粘着テープ１２で固定すると、図３に示すように、それぞれの先端部が細溝１５及び１６に嵌合したように収まり、粘着テープ１２で強固に固定することができる。
【００３５】
図示のラジアルテーピング製品１０を具体的に説明すると、アルミニウム電解コンデンサ１の陽極端子２及び陰極端子３は、それぞれ、丸棒状のアルミニウム製リード線であり、その直径は約０．５ｍｍである。
【００３６】
陽極端子２及び陰極端子３を担持したテープ状台紙１１は、クラフトパルプ製のテープであり、約１８ｍｍの幅を有している。なお、図示のラジアルテーピング製品１０は、このような長尺物をリールに巻き取った状態でユーザーに出荷される。また、台紙１に予め形成された送り穴１３は、それぞれ、約４．０ｍｍの直径を有している。さらに、台紙１１の製造途中においてエンボス加工によって形成された半円形断面をもった細溝１５及び１６は、それぞれ、リード線の直径にあわせて約０．５ｍｍの幅を有している。細溝１５及び１６は、エンボス加工以外の手法で加工してもよく、例えば、Ｕ字形の切削刃で加工してもよい。
【００３７】
また、陽極端子２及び陰極端子３を台紙１１に固定している粘着テープ１２は、特殊処理したクレープ紙の片面にアクリル系の接着剤を均一に塗布したものであり、加熱によって台紙１１に強固に接着されている。粘着テープ１２の幅は、約５．０ｍｍである。なお、粘着テープ１２は、それによって固定すべきリード線の長さにあわせてできる限り幅を小さくするのが経済的であり、また、その貼付領域は、図示のように台紙１１の中央部にとらわれるものではなく、台紙１１の上端部やその他の部位であってもよい。
【００３８】
本考案の実施において、ラジアルテーピング製品のテープ状台紙は、それに本考案に従う細溝が形成されている限りにおいて特に限定されるものではなく、いろいろな形態を有することができる。
【００３９】
図５は、本考案によるラジアルテーピング製品で使用することのできるテープ状台紙１１のもう１つの好ましい形態を示した断面図である。図示の台紙１１は、比較的に薄いけれどもラジアルテーピング製品として使用するのに十分な強度をもった板紙からできており、その製造過程で細溝１５及び１６が加工されている。細溝１５及び１６の加工は、例えばプレス加工やコルゲート加工によって容易に行うことができる。また、台紙１１は、紙の代りにプラスチック材料やその他の材料から製造してもよい。
【００４０】
図６は、本考案によるラジアルテーピング製品で使用することのできるテープ状台紙１１のさらにもう１つの好ましい形態を示した断面図である。図示の台紙１１は、プラスチック材料からできており、よって、細溝１５及び１６を容易に成形可能である。
【００４１】
図７は、本考案によるラジアルテーピング製品で使用することのできるテープ状台紙１１のさらにもう１つの好ましい形態を示した断面図である。図示の台紙１１は、平板状の基紙１１ａと波板状の被覆紙１１ｂの積層体からなり、被覆紙１１ｂの凹部を細溝１５及び１６として利用することができる。この台紙１１は、積層体であるため、製造が容易である。
【００４２】
図８は、本考案によるラジアルテーピング製品で使用することのできるテープ状台紙１１のさらにもう１つの好ましい形態を示した断面図である。図示の台紙１１は、平板状の基紙１１ａと細溝状の切れ込み１５及び１６を備えたシート１１ｂの積層体からなり、積層によって形成された凹部を細溝１５及び１６として利用することができる。この台紙１１も、積層体であるため、製造が容易である。
【００４３】
さらに、本考案のラジアルテーピング製品は、その種類や大きさ、用途などに応じていろいろな形態で提供することができる。例えば、ラジアルテーピング製品は、ロール状に巻き取った形態を有していてもよく、さもなければ、つづら折りの形態を有していてもよい。なお、このような形態の詳細については、先に参照したＪＩＳ　Ｃ０８０５の具体的な記載を参照されたい。
【００４４】
図９は、上記したような本考案によるラジアルテーピング製品に有利に適用可能なアルミニウム電解コンデンサの断面図である。なお、図示の例は巻回構造を備えた電解コンデンサであるが、本考案の電解コンデンサは巻回構造以外のものも包含することを理解されたい。
【００４５】
図示の電解コンデンサ１は、リード線形アルミニウム電解コンデンサであり、電解液を含浸したコンデンサ素子２１を金属製のケース２２に収納し、さらにケース２２の開口部を封口体２３で閉塞した構造を有する。また、金属製のケースに収納されたコンデンサ素子２１は、巻き取られたシート状積層体（図示せず）の形をしている。詳しく述べると、積層体は、表面全体にアルミニウム酸化膜を有するアルミニウム箔（陽極）と、アルミニウム箔（陰極）と、これらの電極の間に挟まれた第１のセパレータ（隔離紙）と、第２のセパレータ（隔離紙）とからなる。第１のセパレータと第２のセパレータは、同一であっても異なっていてもよい。製造工程の簡略化や製造コストの低下などの面から、これらの２つのセパレータは、同一の材料から形成されているのが好適である。なお、第２のセパレータは、必要に応じて、電解コンデンサの分野において常用の絶縁膜から形成されていてもよい。コンデンサ素子１には電解液が含浸せしめられている。
【００４６】
図示の電解コンデンサ１において、封口体２３は、コンデンサ素子２１を収納したケース２２を閉塞するためのものであり、リード線２及び３を挿入し、密封するためのリード線貫通孔をその内部に有している。また、ケース２２の開口部の末端には、封口体２３の封口強度を高めるため、カール２４が施されている。
【００４７】
図示の電解コンデンサは、例えば、次のようにして製造することができる。
【００４８】
最初に、高純度アルミニウム箔を原料として使用して、その表面をエッチングして表面積を増加させた後、そのアルミニウム箔の表面全体を陽極酸化して酸化皮膜を施した陽極箔と、表面をエッチングして表面積を増加させた状態の陰極箔を作製する。次いで、得られた陽極箔と陰極箔とを対向して配置し、さらにそれらの箔の中間に第１のセパレータ（隔離紙）を介在させて積層体となし、この積層体を巻き取つた構造の素子、すなわち、コンデンサ素子、を作製する。
【００４９】
引き続いて、得られたコンデンサ素子に電解液を含浸する。ここで使用する電解液は、好ましくは、２０〜８０重量％の有機溶媒と８０〜２０重量％の水とからなる溶媒と、カルボン酸又はその塩及び無機酸又はその塩からなる群から選択される少なくとも１種の電解質とを含む電解液である。また、この電解液において、有機溶媒は、好ましくは、プロトン系溶媒、非プロトン系溶媒又はその混合物である。さらに、カルボン酸又はその塩は、好ましくは、蟻酸、酢酸、プロピオン酸、酪酸、ｐ−ニトロ安息香酸、サリチル酸、安息香酸、蓚酸、マロン酸、コハク酸、グルタル酸、アジピン酸、フマル酸、マレイン酸、フタル酸、アゼライン酸、クエン酸及びオキシ酪酸ならびにそのアンモニウム塩、ナトリウム塩、カリウム塩、アミン塩及びアルキルアンモニウム塩からなる群から選択される一員である。さらにまた、無機酸又はその塩は、好ましくは、リン酸、亜リン酸、次亜リン酸、ホウ酸及びスルファミン酸ならびにそのアンモニウム塩、ナトリウム塩、カリウム塩、アミン塩及びアルキルアンモニウム塩からなる群から選択される一員である。このような電解液は、１種類もしくはそれ以上の添加剤を任意に含有することができる。適当な添加剤は、下記の群：
（１）キレート化合物、
（２）糖類、
（３）ヒドロキシベンジルアルコール及び（又は）Ｌ−グルタミン酸二酢酸又はその塩、
（４）ニトロ化合物、及び
（５）グルコン酸及び（又は）グルコノラクトン、
から選択されるものである。
【００５０】
次いで、電解液含浸後のコンデンサ素子を上述のようにケース（一般にはアルミニウム製）に収納し、そしてケースの開口部を封口体で閉塞する。ここで使用する封口体は、その材料が、硬度が高くて適度のゴム弾性を有し、電解液不透過性であり、そして封口体としての気密性が良好である限り、いろいろな常用の材料から形成することができる。適当な封口体材料としては、例えば、天然ゴム（ＮＲ）、スチレンブタジエン（ＳＢＲ）、エチレンプロピレンターポリマー（ＥＰＴ）、イソブチレン・イソプレンゴム（ＩＩＲ）等の弾性ゴムを挙げることができる。また、気密性が高く、電解液が蒸気として透過してしまうようなことがないので、イソブチレン・イソプレンゴム（ＩＩＲ）を使用することも好ましい。特に、より優れた耐熱性を有する加硫ＩＩＲ、例えば、イオウ加硫、キノイド加硫、樹脂加硫等のＩＩＲを使用することがさらに好ましい。樹脂加硫ＩＩＲがとりわけ好ましい。また、このような封口体材料に代えて、気密性があり強度も十分に高い樹脂材料板（例えば、ＰＴＦＥ板などのようなフッ素樹脂板）と弾性ゴムを貼り合わせたハイブリッド材料も有利に使用することができる。
【００５１】
封口体のリード線貫通孔には２本のリード線を挿入し、電解液の漏れがないように完全に密封する。
【００５２】
【考案の効果】
以上に詳細に説明したように、本考案によれば、台紙に対する電子部品の固定や自動挿入機等における電子部品の実装が容易に可能なラジアルテーピング製品を提供することができる。
【００５３】
また、本考案によれば、ラジアルテーピング製品に担持される外部接続端子を必要最低限の長さに抑えることができるので、ユーザーによる実装段階における廃棄部分、焼却部分が少ない、機能的無駄を排除したラジアルテーピング製品を提供することができる。
【００５４】
さらに、本考案のラジアルテーピング製品の場合、電子部品の固定強度が粘着テープの粘着強度にすべて依存しているだけではなく、台紙上に形成された細溝の端子支持能力にも大きく依存しているので、従来のラジアルテーピング製品に比較して格段に優れた固定強度を達成することができる。
【００５５】
さらにまた、本考案によれば、部品本体における損傷等の発生を防止できるので、特に電解コンデンサや水晶振動子などの電子部品を搭載したラジアルテーピング製品を有利に提供することができる。
【図面の簡単な説明】
【図１】従来のラジアルテーピング製品を模式的に示した側面図及び断面図である。
【図２】本考案によるラジアルテーピング製品の好ましい１形態を模式的に示した側面図である。
【図３】図２のラジアルテーピング製品の線分ＩＩＩ−ＩＩＩにそった断面図である。
【図４】図２のラジアルテーピング製品で使用されたテープ状台紙の斜視図である。
【図５】本考案によるラジアルテーピング製品で使用することのできるテープ状台紙のもう１つの好ましい形態を示した断面図である。
【図６】本考案によるラジアルテーピング製品で使用することのできるテープ状台紙のさらにもう１つの好ましい形態を示した断面図である。
【図７】本考案によるラジアルテーピング製品で使用することのできるテープ状台紙のさらにもう１つの好ましい形態を示した断面図である。
【図８】本考案によるラジアルテーピング製品で使用することのできるテープ状台紙のさらにもう１つの好ましい形態を示した斜視図である。
【図９】本考案によるラジアルテーピング製品で使用することのできるアルミニウム電解コンデンサを模式的に示した断面図である。
【符号の説明】
１…アルミニウム電解コンデンサ
２…陽極端子（リード線）
３…陰極端子（リード線）
１０…ラジアルテーピング製品
１１…テープ状台紙
１２…粘着テープ
１３…送り穴
１５…細溝
１６…細溝
２１…コンデンサ素子
２２…ケース
２３…封口体
２４…カール
【図１】
0003100139.tif 000003
【図２】
0003100139.tif 000004
【図３】
0003100139.tif 000005
【図４】
0003100139.tif 000006
【図５】
0003100139.tif 000007
【図６】
0003100139.tif 000008
【図７】
0003100139.tif 000009
【図８】
0003100139.tif 000010
【図９】
0003100139.tif 000011
【手続補正書】
【提出日】平成15年9月10日(2003.9.10)
【手続補正１】
【補正対象書類名】明細書
【補正対象項目名】実用新案登録請求の範囲
【補正方法】変更
【補正の内容】
【実用新案登録請求の範囲】
【請求項１】
複数個の電子部品をテープ状の台紙上に所定の間隔をあけて搭載し、粘着テープで固定してなるラジアルテーピング製品において、
前記台紙の電子部品搭載面に、前記電子部品の外部接続端子の先端部を収容するのに十分な形状及びサイズを有する細溝が形成されており、かつ該細溝と前記粘着テープで前記外部接続端子の先端部が固定されていることを特徴とするラジアルテーピング製品。
【請求項２】
前記外部接続端子が、陽極端子及び陰極端子の組み合わせからなることを特徴とする請求項１に記載のラジアルテーピング製品。
【請求項３】
前記外部接続端子が、丸棒状のリード線であることを特徴とする請求項１又は２に記載のラジアルテーピング製品。
【請求項４】
前記リード線が、鉄、銅又はその合金を母材として有していることを特徴とする請求項３に記載のラジアルテーピング製品。
【請求項５】
前記リード線の直径が、０．２〜１．５ｍｍの範囲であることを特徴とする請求項３又は４に記載のラジアルテーピング製品。
【請求項６】
前記細溝が、前記台紙の外縁端部から内側に向かって所定の長さで形成されていることを特徴とする請求項１〜５のいずれか１項に記載のラジアルテーピング製品。
【請求項７】
前記細溝が、前記台紙にエンボス加工によって形成された凹部であることを特徴とする請求項１〜６のいずれか１項に記載のラジアルテーピング製品。
【請求項８】
前記細溝が、前記台紙にコルゲート加工によって形成された凹部であることを特徴とする請求項１〜６のいずれか１項に記載のラジアルテーピング製品。
【請求項９】
前記細溝が、前記台紙に細溝状切れ込み付きシートを積層することによって形成された凹部であることを特徴とする請求項１〜６のいずれか１項に記載のラジアルテーピング製品。
【請求項１０】
前記細溝が、前記台紙の製造過程で付与された凹部であることを特徴とする請求項１〜６のいずれか１項に記載のラジアルテーピング製品。
【請求項１１】
前記細溝が、ほぼ半円形の断面を有している凹部であることを特徴とする請求項１〜１０のいずれか１項に記載のラジアルテーピング製品。
【請求項１２】
前記台紙が、厚紙もしくは紙の積層体からなることを特徴とする請求項１〜１１のいずれか１項に記載のラジアルテーピング製品。
【請求項１３】
前記台紙が、プラスチック材料からなることを特徴とする請求項１〜１１のいずれか１項に記載のラジアルテーピング製品。
【請求項１４】
前記電子部品がコンデンサであることを特徴とする請求項１〜１３のいずれか１項に記載のラジアルテーピング製品。
【請求項１５】
前記コンデンサがアルミニウム電解コンデンサであることを特徴とする請求項１４に記載のラジアルテーピング製品。
【請求項１６】
前記アルミニウム電解コンデンサが、対向して配置された陽極箔及び陰極箔と、それらの中間に介在せしめられた隔離紙とから形成されたコンデンサ素子と、電解液とを含んでなるアルミニウム電解コンデンサであることを特徴とする請求項１５に記載のラジアルテーピング製品。
【請求項１７】
前記電解液が、２０〜８０重量％の有機溶媒と８０〜２０重量％の水とからなる溶媒と、カルボン酸又はその塩及び無機酸又はその塩からなる群から選択される少なくとも１種の電解質とを含むことを特徴とする請求項１６に記載のラジアルテーピング製品。
【請求項１８】
前記電子部品が水晶振動子であることを特徴とする請求項１〜１３のいずれか１項に記載のラジアルテーピング製品。
【請求項１９】
前記電子部品が自動挿入機で回路基板等に実装されることを特徴とする請求項１〜１８のいずれか１項に記載のラジアルテーピング製品。
【請求項２０】
前記電子部品が、前記外部接続端子を含めて前記台紙から引き抜いて、回路基板等に実装されることを特徴とする請求項１〜１９のいずれか１項に記載のラジアルテーピング製品。
【請求項２１】
前記電子部品が、前記外部接続端子の不要部分を含めて前記台紙から分離して、回路基板等に実装されることを特徴とする請求項１〜１９のいずれか１項に記載のラジアルテーピング製品。
【請求項２２】
前記電子部品と、前記外部接続端子の不要部分を含めた前記台紙とが、前記外部接続端子の予め定められた位置において切断によって分離されることを特徴とする請求項２１に記載のラジアルテーピング製品。
【請求項２３】
ロール状に巻き取った形態を有していることを特徴とする請求項１〜２２のいずれか１項に記載のラジアルテーピング製品。
【請求項２４】
つづら折りの形態を有していることを特徴とする請求項１〜２２のいずれか１項に記載のラジアルテーピング製品。